(57)【要約】【課題】  より早い段階から障害物が衝突する衝突位置を精度よく予測することが可能な衝突予測装置を提供する。【解決手段】  衝突予測装置１は、装置の制御を司る衝突予測ＥＣＵ２０を備えている。衝突予測ＥＣＵ２０には、障害物検出センサ１０、舵角センサ１１、車輪速センサ１２が接続されている。衝突予測ＥＣＵ２０の内部には、自車両の走行軌道を求める自車軌道予測部２１、障害物の移動軌道を求める障害物軌道予測部２２、自車両走行軌道と障害物移動軌道とに基づいて衝突予測箇所を取得する衝突予測箇所取得部２３、障害物の移動軌道に対して垂直な直線上に投影された各領域の大きさが均等になるように、自車両走行軌道と障害物移動軌道とが成す角度に応じて、自車両の輪郭線を複数の分割領域に分ける分割領域設定部２４、分割領域内に含まれる衝突予測箇所の数に応じて障害物が衝突すると予測される分割領域を判定する衝突判定部２５が構築されている。【選択図】  図１
2008195293.tif 000002
【特許請求の範囲】
【請求項１】
自車両の走行軌道を求める自車軌道取得手段と、
前記自車両の周辺に存在する障害物の移動軌道を求める障害物軌道取得手段と、
前記自車両の走行軌道と、前記障害物の移動軌道とに基づいて、前記自車両に対する前記障害物の衝突予測箇所を複数回取得する衝突予測箇所取得手段と、
前記自車両を複数の分割領域に分けるとともに、各分割領域に含まれる前記衝突予測箇所の数に応じて、前記各分割領域のうちから前記障害物が衝突すると予測される分割領域を判定する衝突領域予測手段と、を備え、
前記衝突領域予測手段は、前記自車両の走行軌道と前記障害物の移動軌道とに基づいて、前記分割領域を設定することを特徴とする衝突予測装置。
【請求項２】
前記衝突領域予測手段は、領域内に含まれる前記衝突予測箇所の数が所定値を超える分割領域に前記障害物が衝突すると判定することを特徴とする請求項１に記載の衝突予測装置。
【請求項３】
前記衝突領域予測手段は、前記障害物から見て前記自車両の中央部に位置する分割領域に含まれる前記衝突予測箇所の重み付けを、前記自車両の端部に位置する分割領域に含まれる前記衝突予測箇所の重み付けよりも大きくすることを特徴とする請求項１又は２に記載の衝突予測装置。
【発明の詳細な説明】
【技術分野】
【０００１】
本発明は、自車両における障害物の衝突領域を予測する衝突予測装置に関する。
【背景技術】
【０００２】
車両の安全性を高めるために、自車両と障害物とが衝突するか否かを予測する技術が研究・開発されている。このような技術として、障害物の位置、走行速度、移動方向を検出するとともに、自車両の位置、走行速度、移動方向を検出し、障害物の移動方向、自車両の移動方向、自車両と障害物との相対距離、及び相対速度から自車両と障害物とが衝突するか否かを判定し、制動や操舵による回避動作によっても衝突を回避することができないと判定されたときには、その時点での自車両の走行方向、走行速度、障害物の位置、移動方向に基づいて衝突部位を予測するものが特許文献１に開示されている。
【特許文献１】特開２００５−２５４９２３号公報
【発明の開示】
【発明が解決しようとする課題】
【０００３】
しかしながら、上述した技術では、衝突が回避できないと判定されたときに、その時点の情報のみから衝突部位を予測しているため、比較的早い段階から精度よく衝突部位を予測することが困難である。
【０００４】
本発明は、上記問題点を解消する為になされたものであり、より早い段階から、障害物が衝突する衝突位置を精度よく予測することが可能な衝突予測装置を提供することを目的とする。
【課題を解決するための手段】
【０００５】
本発明に係る衝突予測装置は、自車両の走行軌道を求める自車軌道取得手段と、自車両の周辺に存在する障害物の移動軌道を求める障害物軌道取得手段と、自車両の走行軌道と、障害物の移動軌道とに基づいて、自車両に対する障害物の衝突予測箇所を複数回取得する衝突予測箇所取得手段と、自車両を複数の分割領域に分けるとともに、各分割領域に含まれる衝突予測箇所の数に応じて、各分割領域のうちから障害物が衝突すると予測される分割領域を判定する衝突領域予測手段とを備え、衝突領域予測手段が、自車両の走行軌道と障害物の移動軌道とに基づいて、分割領域を設定することを特徴とする。
【０００６】
本発明に係る衝突予測装置によれば、自車両の走行軌道と障害物の移動軌道とに基づいて衝突予測箇所が複数回取得され、複数の分割領域それぞれに含まれる衝突予測箇所の数に応じて、障害物が衝突すると予測される分割領域（以下「衝突位置」ともいう）が判定される。すなわち、複数回の予測結果を考慮して衝突位置が判定される。ここで、例えば、障害物が自車両に対して斜め方向から衝突する状況を想定し、自車両の輪郭線に沿って等間隔に複数の分割領域を設定したと仮定する。この場合、車両の平面形状は略矩形であるため、障害物の移動軌道に対して垂直な直線上（以下「投影線」ともいう）に自車両を投影すると、投影された各分割領域の大きさが均一にはならない。すなわち、衝突角度が深い（大きい）側面に設定されている分割領域の方が、衝突角度が浅い（小さい）側面に設定された分割領域よりも投影線上の領域が大きくなる。そのため、各分割領域に含まれる衝突予測箇所の数を求める際の基準が異なるという状況が生じる。本発明に係る衝突予測装置によれば、自車両の走行軌道と障害物の移動軌道とに基づいて分割領域が設定されるため、上記投影線上に投影された分割領域の大きさが均一になるように分割領域を設定することができ、各分割領域に含まれる衝突予測箇所の数を求める際の基準を同一にすることができる。このように、衝突角度に係わらず、複数回の予測結果を考慮して衝突位置を判定することができるため、より早い段階から、障害物が衝突する衝突位置を精度よく予測することが可能となる。
【０００７】
本発明に係る衝突予測装置では、衝突領域予測手段が、領域内に含まれる衝突予測箇所の数が所定値を超える分割領域に障害物が衝突すると判定することが好ましい。
【０００８】
領域内に含まれる衝突予測箇所の数が所定値を越える場合には、該分割領域に衝突する可能性が高いと判断することができる。そのため、このような構成とすることにより、より精度よく衝突位置を予測することが可能となる。
【０００９】
本発明に係る衝突予測装置では、衝突領域予測手段が、障害物から見て自車両の中央部に位置する分割領域に含まれる衝突予測箇所の重み付けを、自車両の端部に位置する分割領域に含まれる衝突予測箇所の重み付けよりも大きくすることが好ましい。
【００１０】
自車両の端部に衝突すると予測される場合には、自車両の中央部に衝突すると予測されるときと比べて、操舵などによって衝突が回避される可能性が高い。本発明に係る衝突予測装置によれば、障害物から見て自車両の中央部に位置する分割領域に含まれる衝突予測箇所の重み付けが、自車両の端部に位置する分割領域に含まれる衝突予測箇所の重み付けよりも大きくされるため、衝突が回避される可能性をも考慮して衝突位置を予測することが可能となる。
【発明の効果】
【００１１】
本発明によれば、自車両の走行軌道と障害物の移動軌道とに基づいて分割領域を設定するとともに、各分割領域に含まれる衝突予測箇所の数に応じて、各分割領域のうちから障害物が衝突すると予測される分割領域を判定する構成としたので、より早い段階から、障害物が衝突する衝突位置を精度よく予測することが可能となる。
【発明を実施するための最良の形態】
【００１２】
以下、図面を参照して本発明の好適な実施形態について詳細に説明する。図中、同一又は相当部分には同一符号を用いることとする。
【００１３】
まず、図１を用いて、実施形態に係る衝突予測装置１の全体構成について説明する。図１は、衝突予測装置１の全体構成を示すブロック図である。
【００１４】
衝突予測装置１は、自車両の走行軌道と他車両などの障害物の移動軌道を求めるとともに、求められた自車両の走行軌道と障害物の移動軌道とに基づき、時系列的に複数の衝突予測箇所を取得する。一方、衝突予測装置１は、障害物の移動軌道に対して垂直な直線上（投影線）に投影された各領域の大きさが均一になるように、自車両の走行軌道と障害物の移動軌道とが成す角度に応じて、自車両の輪郭線を複数の分割領域に分ける。そして、衝突予測装置１は、分割領域内に含まれる衝突予測箇所の数が所定値を越える分割領域に障害物が衝突すると判定する。
【００１５】
そのために、衝突予測装置１は、装置全体の制御を司る電子制御装置（以下「衝突予測ＥＣＵ（Electronic Control Unit）」という）２０を備えている。衝突予測ＥＣＵ２０には、障害物検出センサ１０、舵角センサ１１、車輪速センサ１２などが接続されている。また、衝突予測ＥＣＵ２０には、警報装置３０が接続されている。
【００１６】
障害物検出センサ１０は、他車両などの障害物の有無を検出するとともに、障害物が検出された場合に、該障害物の方位、該障害物との距離及び相対速度を検出するものであり、例えば、レーザレーダ、ミリ波レーダやステレオカメラなどが好適に用いられる。なお、レーダとカメラを併せて用いてもよい。ここで、障害物検出センサ１０としてレーザレーダやミリ波レーダを用いた場合には、レーザやミリ波を照射してから反射波を検出するまでの時間に応じて障害物との距離が検出され、反射波の周波数変化から障害物との相対速度が検出される。また、反射波の方向から障害物の方位が検出される。一方、障害物検出センサ１０としてステレオカメラを用いた場合には、三角測量の原理により障害物との距離が検出され、フレーム毎の障害物の移動量から障害物との相対速度が検出される。また、撮像された画像中の位置から障害物の方位が検出される。
【００１７】
舵角センサ１１は、運転者が操作したステアリングホイールの操舵角を検出するセンサであり、操舵角に応じた操舵角信号を衝突予測ＥＣＵ２０に出力する。
【００１８】
車輪速センサ１２は、車両の車輪速度を検出するものであり、車輪速度に応じた車輪速度信号を衝突予測ＥＣＵ２０に出力する。
【００１９】
警報装置３０は、警告音を発するスピーカや警告を表示するモニタなどから構成されている。警報装置３０は、衝突予測ＥＣＵ２０からの制御信号に基づいて、スピーカから警告音を発したり、モニタに警告を表示したりする。
【００２０】
衝突予測ＥＣＵ２０は、演算を行うマイクロプロセッサ、マイクロプロセッサに各処理を実行させるためのプログラム等を記憶するＲＯＭ、演算結果などの各種データを記憶するＲＡＭ及びバッテリによってその記憶内容が保持されるバックアップＲＡＭ等により構成されている。
【００２１】
衝突予測ＥＣＵ２０では、プログラムが実行されることにより、自車両の走行軌道を求める自車軌道予測部２１、他車両などの障害物の移動軌道を求める障害物軌道予測部２２、自車両の走行軌道と障害物の移動軌道とに基づいて自車両に対する障害物の衝突予測箇所を取得する衝突予測箇所取得部２３、障害物の移動軌道に対して垂直な直線（投影線）上に投影された各領域の大きさが均等になるように、自車両の走行軌道と障害物の移動軌道とが成す角度に応じて、自車両の輪郭線を複数の分割領域に分ける分割領域設定部２４、及び、分割領域内に含まれる衝突予測箇所の数に応じて障害物が衝突すると予測される分割領域（衝突位置）を判定する衝突判定部２５の機能が実現される。
【００２２】
ここで、舵角センサ１１、車輪速センサ１２、自車軌道予測部２１は、特許請求の範囲に記載の自車軌道取得手段に相当し、障害物軌道予測部２２は、障害物軌道取得手段に相当する。また、障害物検出センサ１０、衝突予測箇所取得部２３は、衝突予測箇所取得手段に相当し、分割領域設定部２４及び衝突判定部２５は、衝突領域予測手段に相当する。
【００２３】
自車軌道予測部２１は、舵角センサ１１により検出された操舵角、及び、車輪速センサ１２により検出された車輪速度から求められる車速に基づいて、自車両の走行軌道を求める。得られた自車両の走行軌道は、衝突予測箇所取得部２３及び分割領域設定部２４に出力される。
【００２４】
障害物軌道予測部２２は、障害物検出センサ１０によって取得された、他車両などの障害物の方位、障害物との距離及び相対速度に基づいて、障害物の移動軌道を求める。より詳細には、直近のｎ点（例えば１０点）の検出値を用いて直線近似を行うことにより移動軌道を求める。得られた障害物の移動軌道は、衝突予測箇所取得部２３及び分割領域設定部２４に出力される。
【００２５】
衝突予測箇所取得部２３は、自車軌道予測部２１により得られた自車両の走行軌道と、障害物軌道予測部２２により得られた障害物の移動軌道との交点を求めることにより、自車両に対する障害物の衝突予測箇所の座標を取得する。なお、取得された衝突予測箇所の座標情報は、衝突判定部２５に出力される。
【００２６】
分割領域設定部２４は、障害物の移動軌道に対して垂直な直線上（投影線）に投影された各領域の大きさが均一になるように、自車両の走行軌道と障害物の移動軌道とが成す角度（衝突角度）に応じて、自車両の輪郭線を複数の分割領域に分ける。なお、設定された分割領域は、自車両の走行軌道及び障害物の移動軌道が求められる毎に更新される。
【００２７】
ここで、図２を参照しつつ、自車両Ｖの左斜め前方から障害物が接近してくる場合を例にして、分割領域の設定方法について説明する。まず、障害物の移動軌道Ｌｂに対して垂直に仮想の直線（投影線）Ｌを設定する。次に、自車両Ｖの左後端部Ａ及び右前端部Ｂを障害物の移動軌道Ｌｂに平行に投影線上に投影した位置をそれぞれＡ’、Ｂ’とする。続いて、投影線上の衝突角度θに応じた自車両Ｖの見かけ上の長さである線分Ａ’Ｂ’の中点Ｏ’を求め、中点Ｏ’から所定の長さΔＬ（例えば５０ｃｍ）毎に線分Ｏ’Ａ’上に分割点Ｐ１’〜Ｐ３’を設定する。また、中点Ｏ’から所定の長さΔＬ（例えば５０ｃｍ）毎に線分Ｏ’Ｂ’上に分割点Ｐ４’〜Ｐ６’を設定する。そして、中点Ｏ’及び各分割点Ｐ１’〜Ｐ６’を自車両Ｖの輪郭線上に逆投影して分割点Ｐ２〜Ｏ〜Ｐ５を得ることにより、分割領域Ａ−Ｐ２、Ｐ２−Ｐ３，Ｐ３−Ｏ，Ｏ−Ｐ４，Ｐ４−Ｐ５，Ｐ５−Ｂが設定される。設定された分割領域情報は、衝突判定部２５に出力される。
【００２８】
図１に戻り説明を続ける。衝突判定部２５は、衝突予測箇所取得部２３により取得された複数（例えば１０点）の衝突予測箇所の座標情報、及び、分割領域設定部２４により設定された分割領域情報を用いて、分割領域内に含まれる衝突予測箇所の数に応じて障害物が衝突すると予測される分割領域（衝突位置）を判定する。より詳細には、衝突判定部２５では、その領域に含まれる衝突予測箇所の数が所定値（例えば２）を超える分割領域が存在したときに、該分割領域に障害物が衝突すると判定する。
【００２９】
ここで、図３を参照しつつ、衝突が予測される分割領域の判定方法を説明する。図３では、時刻ｔ１において取得されている衝突予測箇所を「●」で示すとともに、時刻ｔ１において設定された分割領域を示す分割線を破線で示した。また、時刻ｔ２において、新たに取得された衝突予測箇所を「○」で示し、削除される（最も古い）衝突予測箇所を「×」で示すとともに、時刻ｔ２において設定された分割領域を示す分割線を実線で示した。
【００３０】
時刻ｔ１においては、分割領域Ａ−Ｐ２１に含まれる衝突予測箇所の数は２であり、分割領域Ｐ２１−Ｐ３１に含まれる衝突予測箇所の数は２である。同様に、分割領域Ｐ３１−Ｏ１に含まれる衝突予測箇所の数は２、分割領域Ｏ１−Ｐ４１に含まれる衝突予測箇所の数は２、分割領域Ｐ４１−Ｐ５１に含まれる衝突予測箇所の数は２、分割領域Ｐ５１−Ｂに含まれる衝突予測箇所の数はゼロである。すなわち、所定値（例えば２）を超える衝突予測箇所を含む分割領域が存在しないため、時刻ｔ１では、障害物は自車両に衝突しないと判定される。
【００３１】
一方、時刻ｔ２においては、分割領域Ａ−Ｐ２２に含まれる衝突予測箇所の数は２であり、分割領域Ｐ２２−Ｐ３２に含まれる衝突予測箇所の数は３である。同様に、分割領域Ｐ３２−Ｏ２に含まれる衝突予測箇所の数は２、分割領域Ｏ２−Ｐ４２に含まれる衝突予測箇所の数は１、分割領域Ｐ４２−Ｐ５２に含まれる衝突予測箇所の数は１、分割領域Ｐ５２−Ｂに含まれる衝突予測箇所の数は１である。すなわち、分割領域Ｐ２２−Ｐ３２に含まれる衝突予測箇所の数が所定値（例えば２）を超えているため、障害物が分割領域Ｐ２２−Ｐ３２に衝突すると判定される。このようにして、障害物が衝突すると予測される分割領域、すなわち衝突位置が判定される。なお、障害物が衝突すると予測された場合には、その情報や衝突位置情報などが警報装置３０に出力される。
【００３２】
次に、図４を用いて衝突予測装置１の動作について説明する。図４は、衝突予測装置１による衝突予測処理の処理手順を示すフローチャートである。この処理は、衝突予測ＥＣＵ２０によって行われるものであり、衝突予測装置１の電源がオンされてからオフされるまでの間、所定のタイミングで繰り返し実行される。
【００３３】
ステップ１００では、舵角センサ１１により検出された操舵角、及び、車輪速センサ１２により検出された車輪速度から求められた車速に基づいて、自車両の走行軌道が求められる。
【００３４】
続くステップＳ１０２では、障害物検出センサ１０によって取得された、他車両などの障害物の方位、障害物との距離及び相対速度に基づいて、障害物の移動軌道が求められる。より詳細には、直近のｎ点（例えば１０点）の検出値を用いて直線近似が行われることにより移動軌道が求められる。
【００３５】
続いて、ステップＳ１０４では、ステップＳ１００で得られた自車両の走行軌道と、ステップＳ１０２で得られた障害物の移動軌道との交点が求められることにより、自車両に対する障害物の衝突予測箇所の座標が取得される。
【００３６】
次に、ステップＳ１０６では、自車両の走行軌道と障害物の移動軌道とに基づいて、衝突角度、すなわち自車両の走行軌道と障害物の移動軌道との成す角度が演算される。
【００３７】
続くステップＳ１０８では、障害物の移動軌道に対して垂直な直線上（投影線）に投影された各領域の大きさが均一になるように、ステップＳ１０６で求められた衝突角度に応じて、自車両の輪郭線が複数の分割領域に分けられる。なお、分割領域の設定方法については上述したとおりであるので、ここでは説明を省略する。
【００３８】
続いて、ステップＳ１１０では、ステップＳ１０４で取得された直近の複数（例えば１０点）の衝突予測箇所の座標情報、及び、ステップＳ１０８で設定された分割領域情報を用いて、各分割領域内に含まれる衝突予測箇所の数が計数される。なお、衝突予測箇所の計数方法については上述したとおりであるので、ここでは説明を省略する。
【００３９】
次に、ステップＳ１１２では、ステップＳ１１０で計数された各領域に含まれる衝突予測箇所の数が所定値（例えば２）を超えるか否かについての判断が行われる。ここで、衝突予測箇所の数が所定値を超える分割領域が存在する場合には、ステップＳ１１４に処理が移行する。一方、衝突予測箇所の数が所定値を超える分割領域が存在しないときには、本処理から一旦抜ける。
【００４０】
衝突予測箇所の数が所定値を超える分割領域が存在する場合には、該分割領域に障害物が衝突すると判定され、ステップＳ１１４において、警報装置３０に対してスピーカから警告音を発したり、モニタに警告を表示したりするための制御信号が出力される。
【００４１】
ここで、例えば、障害物が自車両に対して左斜め前方から衝突する状況を想定し、自車両の輪郭線に沿って等間隔に複数の分割領域を設定したと仮定する。この場合、車両の平面形状は略矩形であるため、図５に示されるように、障害物の移動軌道Ｌｂに対して垂直な直線Ｌ（投影線）上に自車両Ｖを投影すると、投影された各分割領域の大きさが均一にはならない。すなわち、図５において衝突角度が深い（大きい）車両前面に設定されている分割領域ＬＦの方が、衝突角度が浅い（小さい）車両側面に設定された分割領域ＬＳよりも投影線Ｌ上の領域が大きくなる。そのため、各分割領域に含まれる衝突予測箇所の数を求める際の基準となる大きさが異なるという状況が生じ得る。
【００４２】
本実施形態によれば、自車両の走行軌道と障害物の移動軌道とに基づいて衝突予測箇所が複数回取得され、複数の分割領域それぞれに含まれる衝突予測箇所の数に応じて、障害物が衝突すると予測される分割領域（衝突位置）が判定される。すなわち、複数回の予測結果を考慮して衝突位置が判定される。また、本実施形態によれば、自車両の走行軌道と障害物の移動軌道とに基づいて分割領域が設定されるため、上記投影線上に投影された分割領域の大きさが均一になるように分割領域を設定することができ、各分割領域に含まれる衝突予測箇所の数を求める際の基準を同一にすることができる。このように、衝突角度に係わらず、複数回の予測結果を考慮して衝突位置を判定することができるため、より早い段階から、障害物が衝突する衝突位置を精度よく予測することが可能となる。
ことが可能となる。
【００４３】
また、本実施形態によれば、領域内に含まれる衝突予測箇所の数が所定値を越える場合に、該分割領域に障害物が衝突すると判定しているため、より精度よく衝突位置を予測することが可能となる。
【００４４】
上述した実施形態では、取得された各衝突予測箇所の重みを均一（１．０）にしていたが、障害物から見て自車両の中央部に位置する分割領域に含まれる衝突予測箇所の重み付けを、自車両の端部に位置する分割領域に含まれる衝突予測箇所の重み付けよりも大きくしてもよい（第２の制御形態）。
【００４５】
ここで、図２で示したように分割領域が設定された場合を例にして、各分割領域毎に設定される重み係数の一例を図６に示す。図２に示されるように、障害物から見て自車両の中央部に位置する分割領域Ｐ３−Ｏ，Ｏ−Ｐ４に含まれる衝突予測箇所の重み係数（１．０）は、自車両の端部に位置する分割領域Ａ−Ｐ２，Ｐ５−Ｂに含まれる衝突予測箇所の重み係数（０．１）よりも大きく設定されている。そのため、障害物から見て自車両の端部に位置する分割領域Ａ−Ｐ２，Ｐ５−Ｂでは、自車両の中央部に位置する分割領域Ｐ３−Ｏ，Ｏ−Ｐ４よりも多くの衝突予測箇所を含まなければ、障害物が衝突すると判定されない。これは、自車両の端部に衝突すると予測される場合には、自車両の中央部に衝突すると予測されるときと比べて、操舵などによって衝突が回避される可能性が高いことを考慮したものである。
【００４６】
本制御形態によれば、障害物から見て自車両の中央部に位置する分割領域に含まれる衝突予測箇所の重み付けが、自車両の端部に位置する分割領域に含まれる衝突予測箇所の重み付けよりも大きくされるため、衝突が回避される可能性をも考慮して衝突位置を予測することが可能となる。
【００４７】
以上、本発明の実施の形態について説明したが、本発明は、上記実施形態に限定されるものではなく種々の変形が可能である。例えば、上記実施形態では、中点Ｏ’から所定の長さΔＬ（例えば５０ｃｍ）毎に線分Ｏ’Ａ’（又は線分Ｏ’Ｂ’）上に分割点Ｐ１’〜Ｐ３’（又は分割点Ｐ４’〜Ｐ６’）を設定した（図２参照）が、線分Ａ’Ｂ’（又は線分Ｏ’Ａ’、線分Ｏ’Ｂ’）を等間隔に分けるように分割点を設定してもよい。
【００４８】
上記第２の制御形態では、障害物から見て自車両の中央部に位置する分割領域に含まれる衝突予測箇所の重み係数を、自車両の端部に位置する分割領域に含まれる衝突予測箇所の重み係数よりも大きく設定したが、各衝突予測箇所の重み係数を一定とし、その分割領域に障害物が衝突するか否かを判定する所定値を、障害物から見て自車両の中央部に位置する分割領域と端部に位置する分割領域とで異ならせてもよい。すなわち、自車両の中央部に位置する分割領域における所定値を、自車両の端部に位置する分割領域における所定値よりも小さくすることによっても、上述した第２の制御形態と同一又は同様の効果を得ることができる。
【図面の簡単な説明】
【００４９】
【図１】実施形態に係る衝突予測装置の全体構成を示すブロック図である。
【図２】分割領域の設定方法を説明するための図である。
【図３】衝突が予測される分割領域の判定方法を説明するための図である。
【図４】実施形態に係る衝突予測装置による衝突予測処理の処理手順を示すフローチャートである。
【図５】衝突角度を考慮しないで分割領域を設定した場合における投影線上に投影された分割領域の大きさを示す図である。
【図６】図２で示した分割領域毎の重み係数の一例を示す図である。
【符号の説明】
【００５０】
１…衝突予測装置、１０…障害物検出センサ、１１…舵角センサ、１２…車輪速センサ、２０…衝突予測ＥＣＵ、２１…自車軌道予測部、２２…障害物軌道予測部、２３…衝突予測箇所取得部、２４…分割領域設定部、２５…衝突判定部、３０…警報装置。
【図１】
2008195293.tif 000003
【図２】
2008195293.tif 000004
【図３】
2008195293.tif 000005
【図４】
2008195293.tif 000006
【図５】
2008195293.tif 000007
【図６】
2008195293.tif 000008